(57)【特許請求の範囲】
【請求項１】
以下の構成要素からなる蚊捕獲装置、
（１）気体を通すが蚊を通さない容器、
（２）前記容器の上部に設置された蓋、
（３）前記蓋に設置された前記気体と前記蚊とを通す穴、
（４）前記穴を覆うファン、
（５）前記蓋に設けられた捕獲筒、
（６）前記捕獲筒の内側に設けられ、内側の筒が外側の筒よりも高さの低い二重筒、
（７）前記外側の筒の上部に設置された屋根、
（８）前記捕獲筒よりも高い位置に設置され、前記二重筒をつなぐ連結管、
（９）前記内側の筒を支え、前記外側の筒に囲まれた基台、
（１０）前記内側の筒と前記外側の筒との間の位置で、前記基台に設けられたスルーホール、
（１１）前記連結管の開口部は塞がず、前記外側の筒を覆う層、
（１２）前記蓋の上に設けられ、前記基台を支える支柱、ならびに
（１３）前記内側の筒の内側で、前記屋根よりも低い位置で、前記基台上に設けられた燃焼器具。
【請求項２】
請求項１において、前記燃焼器具が灯油ランタンである蚊捕獲装置。
【請求項３】
請求項２において、灯油貯留部が前記基台よりも低い位置に設置され前記ファンによって冷却され、異常燃焼を防止できる蚊捕獲装置。
【請求項４】
請求項１において、前記燃焼器具は灯油バーナーであり、灯油貯留部は前記蚊捕獲装置と独立して設置され、前記灯油バーナーと前記灯油貯留部とがチューブでつながった蚊捕獲装置。
【請求項５】
請求項１において、前記燃焼器具は灯油バーナーであり、灯油液面保持機構を有する灯油貯留部が前記蚊捕獲装置と独立して設置され、前記灯油バーナーと前記灯油貯留部とがチューブでつながった蚊捕獲装置。
【発明の詳細な説明】
【技術分野】
【０００１】
本発明は、蚊の習性と重力を併用し安価な運転費で蚊を効率よく捕獲する技術に関するものである。
【背景技術】
【０００２】
蚊、とりわけヒトスジシマカは、炭酸ガスに集まる習性があり、各種炭酸ガスを発生させる蚊の捕獲装置として、プロパンガスを燃焼する装置や紫外線の光化学反応を用いる装置、ボンベ入り炭酸ガスを使用する装置等が市販されている。
【先行技術文献】
【特許文献】
【０００３】
【特許文献１】ＵＳ  ６１４５２４３
【特許文献２】ＵＳ  ２００３／００８４６０４
【特許文献３】ＵＳ  ６７７９２９６
【非特許文献】
【０００４】
【非特許文献１】荒木  修著  「蚊の科学」日刊工業新聞社  ２００７年
【発明の概要】
【発明が解決しようとする課題】
【０００５】
従来のプロパンガスを燃焼する装置は、特許文献３に記載されているように、捕獲効果が大きいことは知られているが、プロパンガスを多量に燃焼させ、しかも、ヒトスジシマカの捕獲には化学物質の誘引剤が必要で、その運転費は高価で、さらに液化ガスであるため、燃焼が止ってしまったときにガス爆発防止のためガス供給停止装置を必要とし、装置本体価格も高価である。また、紫外線を用い光化学反応で炭酸ガスを発生させ捕獲する装置は、本体価格は安価であり、運転費も安価であるが、炭酸ガスの発生量が少なく、捕獲効果は小さい。ボンベ入り炭酸ガスを使う装置は、ガスの入手が容易ではなく、また高価であるという欠点がある。
【０００６】
炭酸ガス発生方法には、液化プロパンガスの燃焼、液化天然ガスの燃焼、炭酸塩と酸との化学反応、たとえば、重曹とクエン酸との反応、砂糖の発酵、ボンベ入り炭酸ガス、灯油の燃焼等がある。一定量の炭酸ガスを発生するのに必要な相対的価格は、容器等の付帯機器の価格を除くと、灯油を１００とすると、およそプロパンガス４００、液化天然ガス９０、砂糖の発酵１２００、液化炭酸ガス１０００、食品グレードの重曹とクエン酸の化学反応９２００である。液化天然ガスは安価であるが、天然ガス車用の価格であり、小さなカセットボンベ入りは、もっと高価である。したがって、灯油が最も安価であり、しかも入手が容易である。従来の蚊捕獲装置の多くは、炭酸ガス発生源として灯油を使用していないため低運転費を実現できなかった。本発明は、装置本体の価格は安価で、さらに運転費も安価である灯油を炭酸ガス発生源とし、さらに重力を利用し、蚊を大量に捕獲できるようにすることを課題とする。
【０００７】
特許文献１の装置は、捕虫筒が下向きの構造であり、本発明における重力の利用は出来ず、重力に逆らっての捕獲であり、運転費が高い。
【０００８】
特許文献２の装置は、飛翔する昆虫の捕獲装置であり、本発明における着地壁は無く、運転費に対しての捕獲性能は低い。
【０００９】
特許文献３の装置は、燃焼によって加温された着地壁が無く、捕獲性能が本発明より劣る。
【発明の効果】
【００１０】
高性能で低運転費の蚊捕獲装置を使うことにより、効果的に蚊のわずらわしさから開放されるとともに蚊の媒介する伝染病の蔓延を潜在的に防止できる。
【図面の簡単な説明】
【００１１】
【図１】図１は本発明の装置正面図である。（実施例１）
【図２】図２は実施例１の改良装置正面図である。（実施例２）
【図３】図３は実施例２の改良装置正面図である。（実施例３）
【図４】図４は実施例３の部分的改良部正面図である。（実施例４）
【発明を実施するための形態】
【００１２】
非特許文献１の３７頁、３８頁に記述のように、蚊は比較的長距離から炭酸ガスによって誘引され、短距離では動物の体温による赤外線を感知し着地する。そこで、灯油を燃焼させ、発生した炭酸ガスにより蚊を誘引し、誘引された蚊の着地壁を設け、この着地壁を灯油燃焼熱で加温して着地率を向上させ、この着地した蚊の吸血行動の習性と重力を利用して捕獲することにより、低価格、低運転費で効率的な蚊捕獲装置を実現した。
【実施例１】
【００１３】
図１は、本発明装置の実施例１の正面図であって、下から順に、ガスは通すが、蚊は通さない網目状の開口部がある捕獲容器１があり、この容器の上部には蓋板２が設けられ、蓋板２には通気穴３があけられている。通気穴３を覆うように送風ファン４が設置されている。蓋板２の周囲には漏斗状の捕虫筒５が設けられている。捕虫筒５の上端から、蚊は吸い込まれる。捕虫筒５の内側には、二重の筒、外筒６、内筒７が配置され、内筒７の下端は底板１０に接し、外筒６の下部は底板１０を取り囲む構造をしている。内筒７の高さは、外筒６よりも低くし、外筒６に接するように屋根８が設けられている。外筒６と内筒７との間を結ぶ連結筒９が捕虫筒５の上端よりも高い位置に設けられている。外筒６、内筒７との間の底板１０には、排気穴１１が設けられている。外筒６の外側は、連結筒９の開口部を除き、着地壁１２で覆われている。着地壁１２として、具体的には布を使用した。そして底板１０は、底板支持柱１３によって、蓋板２に固定さている。
【００１４】
点火した灯油燃焼ランプ１４を内筒７の内側で底板１０の上に設置し、送風ファン４を稼動させると、大気は連結筒９の開口部から、内筒７内にある灯油燃焼ランプ１４に吸い込まれ、このようにして燃焼用の酸素が供給される。炭酸ガスを含む灯油の燃焼ガスは、内筒７の内側上端から屋根８を経て外筒６と内筒７との間の空間へと流れ、屋根８、外筒６を温め、排気穴１１を経て捕虫筒５から吸い込まれた大気とともに通気穴３を経て捕獲容器１の網目から大気に放出される。この放出された炭酸ガスを感知して、蚊、とりわけヒトスジシマカは集まってくる。そして、着地壁１２の温度上昇による赤外線を感知し着地する。
【００１５】
蚊の行動を良く観察すると、蚊は、一度、着地壁１２に着地し、歩いて上下左右に移動する、あるいは、１センチメートル位ジャンプして移動する。このジャンプで、蚊は捕虫筒５の上端で吸い込まれる風によってバランスを崩し、飛ぶことができず、重力により、ふわっと落下して捕虫筒５で吸い込まれる。したがって、捕虫筒５の上端近くの着地壁１２の温度が重要である。
【００１６】
外筒６の表面に着地壁１２がないと、捕虫筒５の上部付近の外筒６の温度は、捕虫筒５で吸引されている大気によって冷却されて低温となるため蚊は着地しにくい。着地壁１２は、この温度低下を防止する役割を有するとともに人体の衣服の役割もあわせて持つ非常に重要な要素である。
【００１７】
本発明実施例１に示す装置の二つのタイプＡおよびＢをそれぞれ一台を作成し運転を行った。タイプＡは、タイプＢに比べ９連結筒の口径が大きいことが異なっている。これら二つの装置を東京都２３区内に設置し、２０１０年９月１７日から運転を開始した。タイプＢは二日で運転を停止した。タイプＡは、１０月１７日まで、ほぼ毎日運転した。表１には、その捕獲結果を示す。捕獲数の計測は、早朝に実施した。したがって、表に示す捕獲数は、前日の捕獲数と考えてよい。蚊の発生時期としては、かなり遅い時期にもかかわらず表１に示すようなきわめて優れた捕獲結果をえた。そして、灯油の消費量は一日約３４０立方センチメートル、一ヶ月で約１０リットルであることを確認し、低運転費で高い捕獲効果があることが実証できた。
【表１】
0005807736.tif 000002
【００１８】
本発明での蚊の捕獲過程を初めて見る人は、何故、蚊は飛ばないで捕獲筒に落下してゆくのかという疑問を持つであろう。その答えは、蚊は一般的には体に比べて非常に長く強力な脚で着地点を蹴って大きくジャンプしてから飛び立つのであるが、一度、着地壁に着地してしまうと、蚊の吸血行動習性で小さなジャンプをして移動するので、脚が着地壁１２から離れてしまい、大きなジャンプが出来ず、飛ぶことが出来ないためである。
【実施例２】
【００１９】
着地壁１２の温度上昇を図るために連結筒９の口径を小さくしたタイプＢ装置は、内筒７の内部の温度が上昇し灯油の気化速度が速まり、灯芯以外の部分でも燃焼するという異常燃焼が発生した。図２はこの灯油の温度上昇を抑えるための構造を示している。灯油燃焼ランプ１４の灯油貯留部はタンク貫通底板１５を貫通し、捕虫筒５から吸入される大気で冷却される構造を持ち、これによって異常燃焼を防止できる。
【実施例３】
【００２０】
捕獲数を毎日確認するには実施例１、２の構造で十分であり、逆に、毎日確認しないと捕獲された蚊は乾燥して崩れやすくなり、計数が難しくなるので、毎日の計数時に給油すればよい。しかし、毎日の給油は時間の無駄であり、図３には一回の給油で長時間運転可能にした構造を示す。灯油燃焼ランプ１４に換わってバーナー１６が設けられ、外部には灯油タンク１９が設置され、バーナー１６と灯油タンク１９は接続パイプ貫通底板１７、接続パイプ貫通捕虫筒１８を貫通する接続パイプ２０で接続されている。
【実施例４】
【００２１】
灯心の毛管現象で灯油を吸い上げるタイプの燃焼機器では、液面の許容高さは上下で約５センチメートルであり、長時間燃焼させるにはタンクの形状が平坦で大面積となり、取り扱いに不便である。そこで、図４に示すように灯油タンクをタンク受板２３に載せ、このタンク受板２３に取り付けられたスライド軸２４とコイルスプリング２５とを介してスライド軸穴付基台２２で受けることにより、灯油の液面が自動的に一定高さとなる構造とすることとし、このタンクからフレキシブルホースを介して灯油を供給することにより装置がコンパクトにできる。
【産業上の利用可能性】
【００２２】
蚊は、現在、日本での発症例は非常に少ないが、西ナイル熱を媒介する。この伝染病が日本で流行した場合には、蚊の対策が非常に重要となり、公衆衛生上の重要な対策機器となりうる。
【符号の説明】
【００２３】
１    捕獲容器
２    蓋板
３    通気穴
４    送風ファン
５    捕虫筒
６    外筒
７    内筒
８    屋根
９    連結筒
１０  底板
１１  排気穴
１２  着地壁
１３  底板支持柱
１４  灯油燃焼ランプ
１５  タンク貫通底板
１６  バーナー
１７  接続パイプ貫通底板
１８  接続パイプ貫通捕虫筒
１９  灯油タンク
２０  接続パイプ
２１  基台
２２  スライド軸穴付基台
２３  タンク受板
２４  スライド軸
２５  コイルスプリング
【図１】
0005807736.tif 000003
【図２】
0005807736.tif 000004
【図３】
0005807736.tif 000005
【図４】
0005807736.tif 000006